(57)【特許請求の範囲】
【請求項１】
多段階に回転数を可変できる圧縮機と四方弁と室外熱交換器と室外制御装置等を備えた室外機と、室内熱交換器とファンと室内制御装置等を備えた室内機を冷媒配管と連絡電線で接続して冷凍サイクルを形成し、この冷凍サイクルの一部を加熱する冷媒加熱装置を前記室外機内に設けた空気調和機の制御装置に於いて、暖房運転停止時には前記圧縮機を低回転で所定時間運転し、圧縮機停止後の一定時間は再運転を行わない遅延運転手段と圧縮機が運転中かを判断する圧縮機運転判断部を設け、前記遅延運転中に前記室内制御装置から再運転指令が有った場合には圧縮機運転判断部にて現在圧縮機が運転中かを判断し、圧縮機運転中であれば圧縮機は高回転の運転回転数に復帰し冷媒加熱装置の運転を再開し、圧縮機が停止中であれば前記遅延運転を継続する暖房再運転機能を設けた事を特徴とする空気調和機。
【発明の詳細な説明】
【０００１】
【発明の属する技術分野】
この発明は室外機内に灯油等を燃料とする冷媒加熱装置を備え、該冷媒加熱装置のバーナにて冷凍サイクルの一部を加熱しての暖房運転を行う空気調和機に関するものである。
【０００２】
【従来の技術】
従来よりこの種の空気調和機では、暖房停止時の残留熱によって冷凍回路や冷媒が一時的に高温になり、冷媒の劣化による故障の発生を防止するために暖房運転の停止時には必ず冷凍回路が冷却するまで圧縮機の遅延運転を行った後に圧縮機を停止していた。
【０００３】
【発明が解決しようとする課題】
しかしながら、このような従来例の空気調和機は使用者がリモコン等の操作部を間違って操作し、本来暖房運転を停止したくない時に暖房運転の停止の操作を行ってしまうと前記の遅延運転が開始され、すぐに再運転の操作を行っても遅延運転が継続され一旦圧縮機を停止し、その後冷凍回路の残留圧力で再起動時に圧縮機が故障するのを防止するために設けられた約２．５分間の圧縮機停止後の再起動禁止時間が経過後に再運転を開始するので室内機が通常の暖房運転に復帰するまでにかなりの時間を要し、その間に室温が下がるために使用者に不快感を与えるような問題があった。
【０００４】
【課題を解決するための手段】
この発明はこの点に着目し上記欠点を解決する為、特にその構成を、多段階に回転数を可変できる圧縮機と四方弁と室外熱交換器と室外制御装置等を備えた室外機と、室内熱交換器とファンと室内制御装置等を備えた室内機を冷媒配管と連絡電線で接続して冷凍サイクルを形成し、この冷凍サイクルの一部を加熱する冷媒加熱装置を前記室外機内に設けた空気調和機の制御装置に於いて、暖房運転停止時には前記圧縮機を低回転で所定時間運転し、圧縮機停止後の一定時間は再運転を行わない遅延運転手段と圧縮機が運転中かを判断する圧縮機運転判断部を設け、前記遅延運転中に前記室内制御装置から再運転指令が有った場合には圧縮機運転判断部にて現在圧縮機が運転中かを判断し、圧縮機運転中であれば圧縮機は高回転の運転回転数に復帰し冷媒加熱装置の運転を再開し、圧縮機が停止中であれば前記遅延運転を継続する暖房再運転機能を設けたものである。
【０００５】
【発明の実施の形態】
以下この発明の実施の形態を図面をもとに説明すれば、１は空気調和機の室内機で室内の壁等に設置され、内部にフィンチューブ式の室内熱交換器２とクロスフロー式の室内ファン３とこの室内ファン３を回転する室内モータ４とこの室内モータ４や表示ランプ５、ワイヤレスリモコン６の受信装置７等に接続され室内機１の運転制御を行う室内制御装置８を備え、室内空気を吸込み熱交換して室内に戻す事によって室内空気の温度調節を行うものである。
【０００６】
９は屋外に設置され前記室内機１と壁等を貫通して連絡配管１０と連絡電線１１によって接続される室外機で、内部には圧縮機１２と冷凍回路の切替をする四方弁１３とフィンチューブ式の室外熱交換器１４とキャピラリーチューブ等の減圧装置１５と冷媒加熱装置１６等を備え、前記圧縮機１２と四方弁１３と室外熱交換器１４と減圧装置１５と前記室内熱交換器２を順次冷媒配管にて連通し冷凍回路を形成し、前記室外熱交換器１４と減圧装置１５に並列に前記冷媒加熱装置１６と二方弁１７を備えたバイパス回路１８を形成している。
【０００７】
前記表示ランプ５は運転中に点灯する運転ランプ１９と点灯や点滅によって燃油切れを表示する給油ランプ２０とタイマー運転中に点灯するタイマーランプ２１等を備え、それぞれの状態を視覚的に使用者に知らしめるものである。
【０００８】
前記ワイヤレスリモコン６は１回目の押圧で運転を開始し２回目の押圧で停止動作にはいる運転スイッチ２２と２つのボタンで上昇と下降ができる温度・時間設定スイッチ２３と冷房・暖房・除湿運転等の運転コースを選択するコース選択スイッチ２４と前記温度・時間設定スイッチ２３で設定された時間後に空気調和機の停止や運転をすることができるタイマースイッチ２５を備えている。
【０００９】
前記四方弁１３は冷房運転と暖房運転の冷凍回路を切替えるためのものであり、冷房時から暖房に切替えると、前記二方弁１７が閉じられていたものが開放されると共に前記四方弁１３が切替えられ前記室外熱交換器１４と減圧装置１５の間に備えた逆止弁２６の作用で室外熱交換器１４には冷媒が行かずに前記バイパス回路１８の方に冷媒が迂回し、このバイパス回路１８に設けた冷媒加熱装置１６にて灯油を燃焼し冷媒が加熱され、不足がちの暖房能力を充分に確保する事ができるものである。
【００１０】
前記冷媒加熱装置１６は内部にバイパス回路１８の冷媒が通過する加熱用熱交換器２７と燃焼室２８とバーナ２９と燃焼ファン３０を備え、暖房運転時に前記バーナ２９の燃焼で加熱用熱交換器２７内の冷媒を加熱し、室内機１に高温の冷媒を送るものである。
前記バーナ２９はアルミダイキャストで形成されるバーナ本体２９ａとステンレス材で作られた炎を吹き出すバーナヘッド２９ｂ等を備え、燃焼中はバーナ本体２９ａで約２５０〜３００℃程の温度が維持されるものである。
【００１１】
３１は空気調和機とは別に設けた灯油タンク（図示せず）に貯蔵された灯油をを汲み上ポンプ３２によって汲み上げ、一旦冷媒加熱装置１６内に貯えるレベラータンクで、灯油の油面を一定に保つためのフロートスイッチ３３とレベラータンク３１内の灯油を前記バーナ２９に供給する電磁ポンプ３４を備えている。
３５は前記バーナ２９内に備えたヒータで点火時にはバーナ２９を加熱して燃料の灯油を気化させるために使用し、通常燃焼時にはバーナ２９の温度制御に使用するものである。
３６はバーナ２９の温度を検知する温度センサで、サーミスタセンサ等によってバーナ本体２９ａ表面の温度を検知してその温度に応じて信号を発するものである。
３７は先端から火花を発生し前記バーナ２９点火を行う電極。３８はバーナ２９の燃焼状態を監視するフレームロッドである。
【００１２】
３９は内部に前記圧縮機１２の回転制御を行うインバータ装置（図示せず）等を備え前記室外機９全体の制御を行う室外制御装置で、前記室内機１の室内制御装置８と連絡電線１１で接続されこの室内制御装置８との間に信号の授受を行うと共に前記連絡電線１１を通じて室内制御装置８から室外制御装置３９へ給電される。
４０は前記室内機１の吸込口（図示せず）等に設けられ吸い込まれた室内空気の温度を計測する室内温度センサ。４１は前記室内熱交換器２の温度を測定する室内熱交センサ。
【００１３】
４２は前記室外機９内で四方弁１３と室内熱交換器２の間の冷媒配管に取り付けられ冷媒の温度を測定する吐出温センサ。
４３は前記バイパス回路１８の冷媒加熱装置１６よりも下流の冷媒配管に設けた加熱温センサ。
【００１４】
４４は前記室外機９の吸込口（図示せず）に設けられた外気温センサで、屋外の温度を計測するものである。
４５はプロペラ式の室外ファンで室外モータ４６によって回転され、前記室外熱交換器１４に送風するものである。
４７は感震装置で地震等の振動を検知し、一定以上の振動が発生した場合に前記室外制御装置３９に信号を送るものである。
【００１５】
４８は前記圧縮機１２の安全装置で圧縮機１２が過負荷により高温なったり、過電流が流れたりして内部の巻き線が破壊される事を防止するものである。
４９は前記燃焼室２８の外壁に取り付けられた安全サーモで、バイメタル式のスイッチから成り約１２０℃にてＯＦＦし約１００℃で自動復帰（ＯＮ）するものである。
【００１６】
５０は前記室内制御装置８内に設けられた遅延運転手段で、暖房運転停止時の残留熱によって冷凍回路や冷媒が過熱される事を防止するために、前記バーナ２９消火後も圧縮機１２や燃焼ファン３０を約３分間継続して運転を行うものである。
５１は前記室内制御装置８内に設けられた圧縮機運転判断部で、前記遅延運転中に再運転の操作が有った場合に前記圧縮機１２が運転しているかどうかを判断するものである。
５２は前記室内制御装置８に電源を供給する電源コード。
【００１７】
図４〜６を元に暖房運転停止時の作動について説明すれば、暖房運転中にリモコン６の運転スイッチ２２を押圧すれば冷媒加熱装置１６のバーナ２９が消化すると共に圧縮機１２の回転数が高回転（約６０Ｈｚ）で運転していたものが低回転（約２４Ｈｚ）に低下する、この時燃焼ファン３０は冷媒加熱装置１６内の冷却のために運転を続け、冷媒加熱装置１６の温度が充分下がるまで約３分間遅延運転を続けた後に圧縮機１２、燃焼ファン３０が停止して運転が終了する。
【００１８】
暖房運転中にリモコン６の操作を誤って運転スイッチ２２を押圧して運転停止の操作をしてしまった場合、もう一度運転スイッチ２２を押圧して運転の操作をすれば、一旦前記の遅延運転動作になるが、圧縮機運転判断部５１によって、運転停止操作から約３分以内で圧縮機１２が低回転の運転状態にあれば、圧縮機１２は停止せずにすぐに高回転に復帰すると共にバーナ２９が再着火し、迅速に暖房運転を再開できるものである。
【００１９】
又圧縮機運転判断部５１によって、運転停止操作から約３分以上経過し圧縮機１２が停止状態にあれば、圧縮機再起動禁止時間の経過を待ってから暖房の再運転を開始するものである。
【００２０】
このように暖房再運転時の運転立ち上げをスムーズに行えるようになり、たとえリモコン６操作を間違った場合でも室温が低下して使用者に不快感を与える事がないものである。
【００２１】
【発明の効果】
以上のようにこの発明によれば、暖房再運転時の運転立ち上げをスムーズに行えるようになり、たとえリモコン６操作を間違った場合でも室温が低下して使用者に不快感を与える事がないものである。
【図面の簡単な説明】
【図１】この発明一実施例の冷凍回路の説明図。
【図２】同冷媒加熱装置の説明図。
【図３】同制御装置の系統図。
【図４】同暖房再運転時のシーケンス図で、圧縮機運転中の再運転の場合。
【図５】同暖房再運転時のシーケンス図で、圧縮機停止後の再運転の場合。
【図６】同フローチャート図。
【符号の説明】
１  室内機
８  室内制御装置
９  室外機
１６  冷媒加熱装置
２９  バーナ
３０  燃焼ファン
３６  温度センサ
３９  室外制御装置
【図１】
0004030248.tif 000002
【図２】
0004030248.tif 000003
【図３】
0004030248.tif 000004
【図４】
0004030248.tif 000005
【図５】
0004030248.tif 000006
【図６】
0004030248.tif 000007